(57)【要約】  互いに色が異なる複数のシェードタブが、その色に基づいて規則的に配置されたシェードガイド（１００）において、前記複数のシェードタブの配置は、シェードタブの色の座標が、Ｌ*−Ｃ*平面において、所定の複数直線によって区切られる領域のうち、どの領域に属するかによって決定されるＳ値およびＶ値と、その座標が、ａ*−ｂ*平面において、所定の複数の直線で区切られる領域のうち、どの領域に属するかによって決定されるＨ値とに基づいて決定される。Ｓ値が共通するシェードタブ群のＳグループ（Ｓａ〜Ｓｆ）が配置され、各Ｓグループにおいて、Ｖ値が共通するシェードタブ群のＶ列が配置され、各Ｖ列においては、Ｈ値が互いに異なる複数のシェードタブが、Ｈ値に応じた順番で並べられている。このシェードガイドを用いることにより、評価対象歯の色を的確かつ簡単に判別することが可能になる。
2009008044.tif 000002
【特許請求の範囲】
【請求項１】
互いに色が異なる複数のシェードタブが、その色に基づいて規則的に配置されたシェードガイドであって、
前記複数のシェードタブの配置は、
シェードタブの色をＬ*ａ*ｂ*表色系における座標で表した場合に、その座標が、Ｌ*−Ｃ*平面において、所定の傾きｋ（０＜ｋ）を持った複数の直線によって区切られる領域のうち、どの領域に属するかによって決定されるＳ値と、
シェードタブの色をＬ*ａ*ｂ*表色系における座標で表した場合に、その座標が、Ｌ*−Ｃ*平面において、所定の傾きｍ（０＞ｍ）を持った複数の直線によって区切られる領域のうち、どの領域に属するかによって決定されるＶ値と、
シェードタブの色をＬ*ａ*ｂ*表色系における座標で表した場合に、その座標が、ａ*−ｂ*平面において、複数の直線で区切られる領域のうち、どの領域に属するかによって決定されるＨ値とに基づいて決定される配置であり、
シェードタブの色のＳ値が共通するシェードタブ群を１つのＳグループとして、複数のＳグループが配置され、
各Ｓグループにおいて、シェードタブの色のＶ値が共通するシェードタブ群を並べた列を１つのＶ列として、複数のＶ列が配置され、
各Ｖ列においては、Ｈ値が互いに異なる複数のシェードタブが、Ｈ値に応じた順番で並べられている、シェードガイド。
【請求項２】
各Ｓグループにおいては、複数のＶ列が縦方向に配置されており、
各Ｖ列においては、複数のシェードタブが横方向に並べられている、請求項１に記載のシェードガイド。
【請求項３】
各Ｓグループにおいては、標準のＶ値のＶ列が前記縦方向の一番上に配置される、請求項２に記載のシェードガイド。
【請求項４】
各Ｖ列においては、標準のＨ値のシェードタブが中央に配置され、中央のシェードタブを挟んで、一方の側に標準のＨ値より赤みが強いＨ値のシェードタブを、他方の側に標準のＨ値より黄みが強いＨ値のシェードタブがそれぞれ配置されるように、前記複数のシェードタブが並べられる、請求項２に記載のシェードガイド。
【請求項５】
前記シェードガイドは、複数のシェードタブを配置するためのベースを備え、
前記複数のシェードタブは、Ｖ列ごと、およびシェードタブごとに前記ベースから取り外し可能である、請求項１に記載のシェードガイド。
【請求項６】
前記配置された複数のシェードタブの下部に沿って設けられる歯肉色の歯肉色部をさらに備える、請求項１に記載のシェードガイド。
【請求項７】
請求項１に記載のシェードガイドを用いて、評価対象歯の色を判別する方法であって、
各Ｓグループと評価対象歯とを比較することにより、評価対象歯の色に最も近い色のＳグループを選択するＳ値選択工程と、
前記選択したＳグループに含まれるＶ列のうち１つのＶ列における各シェードタブと評価対象歯とを比較することにより、評価対象歯の色に最も近い色のシェードタブを選択するＨ値選択工程と、
選択されたＳグループ内に含まれる各Ｖ列における、前記Ｈ値選択工程で選択されたシェードタブと同じＨ値のシェードタブと、評価対象歯とを比較することによって、評価対象歯の色に最も近い色のシェードタブを選択するＶ値選択工程とを含み、
前記Ｖ値選択工程で選択されたシェードタブの色を評価対象歯の色として判別することを特徴とする、評価対象歯の色を判別する方法。
【請求項８】
請求項７に記載の方法で評価対象歯の色を判別する工程と、
評価対象歯の色として判別したシェードタブの色に基づいて人工歯を作製する工程とを有する人工歯作製方法。
【請求項９】
請求項１に記載のシェードガイドに含まれる複数のシェードタブの各色を再現する顔料をそれぞれ含む歯科用陶材の組。
【発明の詳細な説明】
【技術分野】
【０００１】
本発明は、歯の色を判別するときに色見本として用いられるシェードガイドに関する。
【背景技術】
【０００２】
美しい歯を持つ人物は、他人に好印象を与える傾向がある。そのため、歯に対する審美性の要求が年々高まっている。歯科の治療または美容処置において、義歯、歯冠修復物等の補綴物を患者の歯に補綴した場合、その補綴物の色は、隣に位置する歯と同じ色を持つことが好ましい。そのため、補綴物の作製においては、患者の歯の色を的確に判別し、判別した色に基づいて補綴物を作製することが求められる。なお、このように歯の色を判別することは、歯の色評価（シェードテイキング）と呼ばれることがある。【０００３】
従来、歯の色を判別するための色見本としてシェードガイドが用いられてきた。シェードガイドは、複数の色をそれぞれに持つ複数のシェードタブが、その色に応じて配置されたものである。各シェードタブは、例えば、プラスチックで形成され、歯の形状をしている。また、各シェードタブには、そのシェードタブの色を特定するための番号が付与されている。【０００４】
観察者は、例えば、複数のシェードタブのうち少なくとも１つを、患者の歯に接近させて、患者の歯の色とシェードタブの色とを比較する。観察者は、比較の結果、患者の歯に最も近いと感じる色のシェードタブを選択し、このシェードタブの色を患者の歯の色として判別する。その後、例えば、観察者は、選択したシェードタブの色を特定する番号を補綴物作製者に通知する。補綴物作製者は、その番号によって特定された色と同じ発色をする材料を用いて補綴物を作製する。【０００５】
このように、歯の色の判別には、観察者の主観的な評価が含まれる。観察者の主観的な評価には、個人差があり、また、観察時の環境により変化する。そのため、歯の色の判別結果は、信頼性が低くなりやすい。判別結果の信頼性を向上させるために、観察者による、的確な歯の色の判別を可能にするシェードガイドが望まれる。【０００６】
従来のシェードガイドにおけるシェードタブの色の範囲は、天然歯で観察される色の範囲を網羅していなかった。そのため、評価対象の歯の色に近い色を、シェードガイド中に見つけることができない場合があった。この問題に対処するため、色空間において特定される天然歯の色の分布範囲に対応した色のシェードタブが配置されたシェードガイドが提案されている（例えば、特許第３１００８０９号公報参照）。【０００７】
しかしながら、上記従来のシェードガイドは、実際に人間が色を認識する際の目視感度を考慮したものではない。そのため、目視により評価対象歯の色を的確かつ簡単に判別するには不十分であった。
【発明の開示】
【発明が解決しようとする課題】
【０００８】
本発明は、目視により評価対象歯の色を的確かつ簡単に判別するためのシェードガイドを提供することを目的とする。
【課題を解決するための手段】
【０００９】
本発明にかかるシェードガイドは、互いに色が異なる複数のシェードタブが、その色に基づいて規則的に配置されたシェードガイドであって、前記複数のシェードタブの配置は、シェードタブの色をＬ*ａ*ｂ*表色系における座標で表した場合に、その座標が、Ｌ*−Ｃ*平面において、所定の傾きｋ（０＜ｋ）を持った複数の直線によって区切られる領域のうち、どの領域に属するかによって決定されるＳ値と、シェードタブの色をＬ*ａ*ｂ*表色系における座標で表した場合に、その座標が、Ｌ*−Ｃ*平面において、所定の傾きｍ（０＞ｍ）を持った複数の直線によって区切られる領域のうち、どの領域に属するかによって決定されるＶ値と、シェードタブの色をＬ*ａ*ｂ*表色系における座標で表した場合に、その座標が、ａ*−ｂ*平面において、複数の直線で区切られる領域のうち、どの領域に属するかによって決定されるＨ値とに基づいて決定される配置であり、シェードタブの色のＳ値が共通するシェードタブ群を１つのＳグループとして、複数のＳグループが配置され、各Ｓグループにおいて、シェードタブの色のＶ値が共通するシェードタブ群を並べた列を１つのＶ列として、複数のＶ列が配置され、各Ｖ列においては、Ｈ値が互いに異なる複数のシェードタブが、Ｈ値に応じた順番で並べられている。【００１０】
人間が目視によって認識する天然歯の色の濃さは、Ｌ*ａ*ｂ*表色系における明度（Ｌ*の値）と彩度（Ｃ*の値）の両方によって決まる傾向がある。例えば、同一色相の天然歯の色では、明度が低く、かつ彩度が高いと「濃い」と認識され、明度が高く、かつ彩度が低いと「薄い」と認識される傾向にある。そのため、Ｌ*ａ*ｂ*表色系におけるシェードタブの色の座標が、Ｌ*−Ｃ*平面（Ｃ*＝√｛（ａ*）2＋（ｂ*）2｝）において、所定の傾きｋ（０＜ｋ）を持った複数の直線によって区切られる領域のうち、どの領域に属するかによって決定されるＳ値によって、人間が認識する天然歯の濃さが表わされる。このように、傾きｋ（０＜ｋ）の直線によってＬ*ａ*ｂ*表色系の色空間を分類することにより、人間の色識別感覚にあった分類をすることができる。【００１１】
同じＳ値の領域内でも明度（Ｌ*の値）と彩度（Ｃ*の値）とが異なれば、人間が目視によって認識する色の明るさは変化する。そこで、Ｌ*ａ*ｂ*表色系におけるシェードタブの色の座標が、Ｌ*−Ｃ*平面において、所定の傾きｍ（０＞ｍ）を持った複数の直線によって区切られる領域のうち、どの領域に属するかによって決定されるＶ値によって、人間が認識する天然歯の明るさが表わされる。このように、傾きｍ（０＞ｍ）の直線によって色空間における各Ｓ値の領域を分類することにより、人間の色識別感覚にあった分類をすることができる。【００１２】
Ｌ*ａ*ｂ*表色系におけるシェードタブの色の座標が、ａ*−ｂ*平面において、所定の基準点を通る複数の直線で区切られる領域のうち、どの領域に属するかによって決定されるＨ値によって、人間が認識する天然歯の色合いが表わされる。人間が認識する天然歯の色合いは、例えば、赤みが強いか黄みが強いかという感覚である。【００１３】
本発明にかかるシェードガイドでは、シェードタブの色のＳ値が共通するシェードタブ群であるＳグループごとにシェードタブがまとめられて配置される。すなわち、人間に認識される濃さが同じシェードタブが１つのＳグループにまとめられて配置される。このため、観察者が、それぞれのＳグループに含まれるシェードタブの色の濃さと、評価対象歯の色の濃さとを比べて評価対象歯の色の濃さに最も近いＳグループを選択することが可能になる。すなわち、観察者は、まず、評価対象歯の色の濃さに最も近いＳグループを選択することで、評価対象歯の色の濃さを決定することができる。【００１４】
Ｓグループには、さらに、Ｖ値が共通するシェードタブ群を並べたＶ列が複数配置されているので、人間に認識される明るさが同じシェードタブが１つのＶ列に並んで配置されることになる。また、１つのＶ列内では、Ｈ値に応じた順番で各シェードタブが並べられので、各Ｖ列においては、人間に認識される色合いに応じた順番でシェードタブが並べられていることになる。そのため、観察者は、ある１つのＶ列に含まれる各シェードタブの色合いと評価対象歯の色合いと比較し、評価対象歯の色合いに最も近い色合いのシェードタブを選択することで、評価対象歯の色合いを決定することができる。また、観察者は、複数のＶ列それぞれのシェードタブの明るさと評価対象歯の明るさとを比較して、評価対象歯の明るさに最も近い明るさのＶ列を選択することで、評価対象歯の明るさを決定することができる。そのため、観察者は、シェードガイドを用いて、評価対象歯の濃さ、色合い、明るさを順次決定することができる。すなわち、本発明にかかるシェードガイドは、観察者が、濃さ、色合い、明るさの順に評価対象歯の色を判別しやすいように配置されたシェードタブを備えている。これにより、観察者は、目視により評価対象歯の色を的確かつ簡単に判別することが可能になる。【００１５】
本発明にかかるシェードガイドでは、各Ｓグループにおいては、複数のＶ列が縦方向に配置されており、各Ｖ列においては、複数のシェードタブが横方向に並べられていることが好ましい。【００１６】
これにより、観察者は、互いにＨ値が異なるシェードタブが横方向に並んだＶ列の各シェードタブと、評価対象歯とを目視によって比較しやすくなる。【００１７】
本発明にかかるシェードガイドでは、各Ｓグループにおいては、標準のＶ値のＶ列が前記縦方向の一番上に配置されることが好ましい。【００１８】
この配置により、観察者は、まず、一番上に配置されている標準のＶ値のＶ列に含まれるシェードタブ群を、評価対象歯とを比較することになる。そのため、観察者がＶ列の中から評価対象歯と色合いの近いシェードタブを選択する際に、効率よく評価対象歯と色合いの近いシェードタブの選択をすることが可能になる。【００１９】
本発明にかかるシェードガイドでは、各Ｖ列においては、標準のＨ値のシェードタブが中央に配置され、中央のシェードタブを挟んで、一方の側に標準のＨ値より赤みが強いＨ値のシェードタブを、他方の側に標準のＨ値より黄みが強いＨ値のシェードタブがそれぞれ配置されるように、前記複数のシェードタブが並べられることが好ましい。【００２０】
この配置により、観察者が、Ｖ列の中央に配置されている標準のＨ値のシェードタブと評価対象歯を初めに比較し、評価対象歯がその中央のシェードタブより赤みがかっているか、または黄みがかっているかによって、評価対象歯と色合いの近いシェードタブがその中央のシェードタブのどちら側にあるかを判断することができる。これにより、観察者は、色合いが近いシェードタブを見つけやすくなる。【００２１】
本発明にかかるシェードガイドは、複数のシェードタブを配置するためのベースを備え、前記複数のシェードタブは、Ｖ列ごと、およびシェードタブごとに前記ベースから取り外し可能であることが好ましい。【００２２】
これにより、観察者は、Ｓグループ選択時、Ｖ列選択時あるいは、１つのＶ列内のシェードタブの中から評価対象歯に色合いの近いシェードタブを選択する時には、そのＶ列のみ取り出して評価対象歯に接近させることができる。さらに、観察者は、各Ｖ列から色合いの近いシェードタブのみ取り出して評価対象歯に接近させることができる。そのため、観察者が評価対象歯の色を判別する際の利便性が増す。【００２３】
本発明にかかるシェードガイドは、前記配置された複数のシェードタブの下部に沿って設けられる歯肉色の歯肉色部をさらに備えることが好ましい。【００２４】
歯肉色部により、シェードタブの下部に沿って歯肉色を付与することで、シェードタブの背景も歯肉色にすることができる。評価対象歯の背景は歯肉色となることが多いので、シェードタブの背景も歯肉色とすることで、観察者が両者を比較する際に、背景色の違いによる錯覚を防止することができる。【００２５】
本発明にかかる評価対象歯の色を判別する方法は、本発明のシェードガイドを用いて、評価対象歯の色を判別する方法であって、各Ｓグループと評価対象歯とを比較することにより、評価対象歯の色に最も近い色のＳグループを選択するＳ値選択工程と、前記選択したＳグループに含まれるＶ列のうち１つのＶ列における各シェードタブと評価対象歯とを比較することにより、評価対象歯の色に最も近い色のシェードタブを選択するＨ値選択工程と、選択されたＳグループ内に含まれる各Ｖ列における、前記Ｈ値選択工程で選択されたシェードタブと同じＨ値のシェードタブと、評価対象歯とを比較することによって、評価対象歯の色に最も近い色のシェードタブを選択するＶ値選択工程とを含み、前記Ｖ値選択工程で選択されたシェードタブの色を評価対象歯の色として判別することを特徴とする。【００２６】
上記方法によれば、観察者は、まず、Ｓ値選択工程で、評価対象歯に濃さが最も近いＳグループを選択し、次に、Ｈ値選択工程で、１つのＶ列において評価対象歯に最も近い色合いのシェードタブを選択し、次に、選択したシェードタブと同じ色合いであって、評価対象歯に明るさが最も近いシェードタブを複数のＶ列から選択する。これにより、観察者は、Ｓ値で表わされる濃さ、Ｈ値で表わされる色合い、Ｖ値で表わされる明るさの順に評価対象歯とシェードタブとを比較することになる。人間の目視による認識の感度は、濃さ、色合い、明るさの順に敏感であると考えられるので、観察者は、この順番に比較することで、的確かつ簡単に評価対象歯の色を判別することができる。【００２７】
本発明にかかる人工歯作製方法は、本発明の方法で評価対象歯の色を判別する工程と、評価対象歯の色として判別したシェードタブの色に基づいて人工歯を作製する工程とを有する。【００２８】
本発明にかかる歯科用陶材の組は、本発明のシェードガイドに含まれる複数のシェードタブの各色を再現する顔料をそれぞれ含む。この歯科用陶材の組により、シェードガイドを用いて判別された評価対象歯の色を容易に再現することが可能になる。【００２９】
これにより、的確に判別された評価対象歯の色に基づいて人工歯を作製することができる。その結果、所望の色に近い人工歯が作製される。
【発明の効果】
【００３０】
本発明によれば、目視により評価対象歯の色を的確かつ簡単に判別するためのシェードガイドを提供することができる。
【図面の簡単な説明】
【００３１】
【図１】図１は、本実施形態にかかるシェードガイドの構造を示す概念図である。
【図２】図２は、図１に示すシェードガイドのII−II線断面図である。
【図３】図３は、Ｌ*ａ*ｂ*色空間を示す図である。
【図４】図４は、Ｓ値およびＶ値を決めるための領域の例を示すＬ*−Ｃ*平面図である。
【図５】図５は、Ｈ値を決めるための領域の例を示すａ*−ｂ*平面図である。
【図６】図６（ａ）〜（ｃ）は、シェードガイド１００を用いて評価対象歯の色を判別する方法を説明するための図である。
【図７】図７は、ＭＣクラウンの断面図である。
【発明を実施するための最良の形態】
【００３２】
図１は、本実施形態にかかるシェードガイドの構造を示す概念図である。図１に示すシェードガイド１００は、互いに色が異なる複数のシェードタブが、規則的に配置されて構成される。図１に示す複数のシェードタブには、ａａＲ、ａａＳ、ａａＹ、ａｂＲ、ａｂＳ、ａｂＹ、・・・と番号が記載されているが、これらの番号は、説明の便宜ために付与した番号であり、実際のシェードタブに描かれるものではない。【００３３】
シェードガイド１００において、複数のシェードタブは、ＳグループＳａ〜Ｓｆごとにまとめて配置される。各ＳグループＳａ〜Ｓｆはベース１０に設置される。ＳグループＳａは、縦方向に３段並んだＶ列ユニット４１〜４３で構成される。各Ｖ列ユニット４１〜４３には、３つのシェードタブが横方向に並んで格納されている。シェードタブの形状は、人間の切歯の形状であることが好ましい。シェードガイドは、切歯の色を判別するために使用されることが多いからである。各シェードタブの色と配置に関係については後述する。【００３４】
ＳグループＳａにおいて、各Ｖ列ユニット４１〜４３は、歯肉色部４１ａ〜４３ａをそれぞれ備える。歯肉色部４１ａ〜４３ａは、シェードタブの下部に設けられた歯肉色の部分である。歯肉色部４１ａ〜４３ａの形状は歯肉の形状であることが好ましい。すなわち、シェードタブが切歯の形状である場合に、歯肉色部４１ａ〜４３ａは、その切歯の歯頚部を覆う形状であることが好ましい。また、歯肉色部４１ａ〜４３ａのみＶ列ユニットから取り外し可能であってもよい。これにより、評価対象口腔における歯肉の色に合わせて、歯肉色部４１ａ〜４３ａを交換することが可能になる。なお、このような歯肉色部４１ａ〜４３ａは、ガミーまたは歯肉色ホルダーと呼ばれることもある。【００３５】
なお、ＳグループＳｂ〜ＳｆのＶ列ユニットおよびシェードタブの構造もＳグループＳａと同様である。【００３６】
各ＳグループＳａ〜Ｓｆにおける最上段のＶ列（Ｖａ）は、横方向の同一線上に並ぶように各ＳグループＳａ〜ＳｆのＶ列ユニットが配置されている。また、各ＳグループＳａ〜Ｓｆにおける２段目のＶ列（Ｖｂ）、各ＳグループＳａ〜Ｓｆにおける３段目のＶ列（Ｖｃ）もそれぞれ横方向の同一線上に並ぶようにＶ列ユニットが配置されている。【００３７】
各ＳグループＳａ〜Ｓｆにおいて、Ｖ列ユニットがそれぞれ取り外し可能な構造になっている。さらに、各Ｖ列ユニットにおいて、各シェードタブは、それぞれＶ列ユニットから取り外し可能となっている。【００３８】
図２は、図１に示すシェードガイド１００のII−II線断面図である。図２に示すように、ＳグループＳａを構成するＶ列ユニット４１〜４３は、ベース１０の格納口１０ａに挿入されている。Ｖ列ユニット４１、４２は、それぞれベース１０の格納口１０ａに設けられた支持部１０ｃ、１０ｂによって、互いに異なる高さで支持されている。各Ｖ列ユニット４１〜４３は、それぞれタブ挿入口４１ｂ、４２ｂ、４３ｂを有する。シェードタブａａＳ、ａｂＳ、ａｃＳには、支持板ａａＳ−１、ａｂＳ−１、ａｃＳ−１が設けられており、この支持板ａａＳ−１、ａｂＳ−１、ａｃＳ−１の部分が、タブ挿入口４１ｂ、４２ｂ、４３ｂに挿入される。【００３９】
なお、図１および図２に示したシェードガイド１００の構成は一例であり、これに限られない。例えば、Ｓグループごとに取り外し可能となるように、各Ｓグループを、Ｓグループユニットとしてベースに設定することもできる。また、１つのＳグループに含まれるＶ列の数、１つのＶ列に含まれるシェードタブの数は図１に示す例に限られない。【００４０】
次に各シェードタブの色と配置の関係について説明する。シェードガイド１００において、複数のシェードタブは、各シェードタブの色に基づいて規則的に配置される。ここでは、シェードタブの色をＬ*ａ*ｂ*表色系における座標で表す。Ｌ*ａ*ｂ*表色系は、ＣＩＥ（国際照明委員会）が１９７６年に定めたＣＩＥ１９７６Ｌ*ａ*ｂ*色空間を用いた表色系である。図３は、Ｌ*ａ*ｂ*色空間を示す図である。Ｌ*ａ*ｂ*色空間は、Ｌ*値、ａ*値、ｂ*値の３次元直交座標で表される。Ｌ*値は明度を表し、ａ*値およびｂ*値は、色度（明るさ以外の性質：色相と彩度）を表す。シェードタブの色は、Ｌ*ａ*ｂ*色空間におけるある１つの点ｐの３次元座標（ａ*、ｂ*、Ｌ*）で表すことができる。点ｐが示す色における彩度Ｃ*は、下記式で表わされる。彩度が大きいほど色鮮やかで、彩度が小さいほどくすんだ色となる。
Ｃ*＝√｛（ａ*）2＋（ｂ*）2｝
Ｌ*軸に垂直な平面（ａ*−ｂ*平面）に、点ｐを投影した平面図は、色度図と呼ばれる。ａ*−ｂ*平面において、＋ａ*は赤方向、−ａ*は緑方向、＋ｂ*は黄方向、−ｂ*は青方向を表す。そのため、色度図を、観察することにより、点ｐが示す色の色合いを知ることができる。【００４１】
縦軸がＬ*、横軸がＣ*の平面（Ｌ*−Ｃ*平面）に点ｐをプロットした平面図は、色調図と呼ばれる。色調図を観察することによって、点ｐの示す色の明るさと鮮やかさを知ることができる。また、色調図と色度図との関係から、点ｐのＬ*ａ*ｂ*色空間での３次元位置を知ることができる。【００４２】
なお、シェードタブの色のＬ*値、ａ*値およびｂ*値は、公知の測色器によって測定することができる。シェードタブの色は均一でない場合があるため、同じ測色器でＬ*、ａ*およびｂ*値を測定しても測定値がばらつく場合がある。そのため、例えば、シェードタブの所定位置を複数回測定して得られた測定値の平均値を、シェードタブの色を表す値として特定することができる。【００４３】
また、図３に示すＬ*ａ*ｂ*色空間における点ｐの座標は、明度Ｌ*、彩度Ｃ*、色相角ｈ［ｈ＝ｔａｎ―1（ｂ*／ａ*）］で表すこともできる。このように、Ｌ*Ｃ*ｈを用いて表される表色系はＬ*Ｃ*ｈ表色系と呼ばれている。本実施形態では、シェードタブの色を表わす表色系の一例として、以下、Ｌ*ａ*ｂ*表色系を用いて説明するが、シェードタブの色を表わす表色系はこれに限られない。【００４４】
図４は、シェードタブの色のＳ値およびＶ値を決めるための領域の例を示すＬ*−Ｃ*平面図である。図４に示すＬ*−Ｃ*平面図では、縦軸がＬ*、横軸がＣ*を表している。図４に示すＬ*−Ｃ*平面図には、傾きが正の直線Ｓ１〜Ｓ１８と、傾きが負の直線Ｖ１〜Ｖ７が描かれている。【００４５】
また、直線Ｓ１〜Ｓ１８の傾きおよび切片は、例えば、多数の天然歯または既存のシェードガイドの観察結果を基に、経験的に求めることができる。例えば、次のようにして、直線Ｓ１〜Ｓ１８を求めることができる。まず、熟練の観察者が、多数の天然歯のサンプルについて、目視によって、色の濃さを１９段階の評価値で評価する。天然歯のサンプルそれぞれについてＬ*の値とＣ*の値を測定し、それぞれの天然歯の色をＬ*−Ｃ*平面上にプロットする。これによって、Ｌ*−Ｃ*平面において、各評価値の歯がどのような領域に分布するかが分かる。そこで、Ｌ*−Ｃ*平面において、１９段階の各評価値が分布する１９の領域のおおよその境界を表わす１８本の直線を求めることができる。この１８本の直線を、上記の直線Ｓ１〜Ｓ１８とすることができる。【００４６】
ここで、図４に示すように、直線Ｓ１〜Ｓ１８は、Ｌ軸に垂直ではなく、正の傾きを持つように求めることが好ましい。これにより、人間の目が感じる色の濃さに即したＳ値の設定が可能になる。すなわち、人間は、明度の違いのみで色を見分けるより、明度と彩度を複合させた色の濃さで色を見分けやすい傾向にある。図４に示すＬ*−Ｃ*平面では、色が左上から右下へ斜めに変化すると（明度Ｌ*が下がると同時に彩度Ｃ*が上がると）、人間には、色みが濃くなったと感じられる。人間は、このような色の濃さの違いにより色を見分ける方が、色の明るさの違い（Ｌ*が垂直方向に変化した場合の違い）だけ色を見分けるよりも、見分けやすい傾向にある。そのため、Ｌ軸に垂直な直線によって分類するよりも、例えば、図４に示すように正の傾きを持った直線で分類する方が、人間がより感じやすい色の濃さで分類することができる。このような直線の傾きは、上記のように測定値の分布に基づいて、適切な値を計算することができる。なお、図４に示す例では、直線Ｓ１〜Ｓ１８の傾きは同じであるが、これらの傾きは必ずしも同じである必要はない。【００４７】
図４に示すＬ*−Ｃ*平面図において、直線Ｓ１〜Ｓ１８によって区切られる領域のうち、シェードタブの色の座標が、どの領域に属するかによって、その色のＳ値が決定される。直線Ｓ１〜Ｓ１８で区切られる領域とＳ値の関係の例を下記表１に示す。下記表１に示す例において、Ｓ値は、国際的に普及しているＶＩＴＡ  Ｌｕｍｉｎ  Ｖａｃｕｕｍ  ｓｈａｄｅ  ｇｕｉｄｅ（登録商標）（以下、ビタのシェードガイドと称する）で定められたシェード番号を基に、各領域に割り振られた値である。なお、Ｓ値の決め方はこれに限られない。【００４８】
そして、図１に示すシェードガイドにおいて、Ｓ値が共通するシェードタブ群を１つのＳグループとして、各ＳグループＳａ〜Ｓｆが配置される。すなわち、Ｓ値の共通するシェードタブが、ＳグループＳａ〜Ｓｆごとにまとめて配置される。【００４９】
【表１】
2009008044.tif 000003
【００５０】
上記表１において、直線Ｓ２と直線Ｓ３との間の領域に属する色のＳ値＝−１となる。図１に示すＳａグループは、例えば、Ｓ値が−１の色のシェードタブがまとめて配置されたものである。すなわち、Ｓａグループに含まれる９つのシェードタブａａＹ、ａａＳ、ａａＲ、ａｂＹ、ａｂＳ、ａｂＲ、ａｃＹ、ａｃＳ、ａｃＲのＳ値は全て−１となる。ＳｂグループはＳ値＝１（Ｓ５−Ｓ６間）、ＳｃグループはＳ値＝２．５（Ｓ８−Ｓ９間）、ＳｄグループはＳ値＝３．３（Ｓ１０−Ｓ１１間）、ＳｅグループはＳ値＝４（Ｓ１３−Ｓ１４間）、ＳｆグループはＳ値＝５．５（Ｓ１６−Ｓ１７間）のシェードタブ群がそれぞれまとめて配置されている。【００５１】
このように、Ｓ値の共通するシェードタブ群がＳグループごとにまとめて配置される。なお、ここでは、Ｓ値の共通するシェードタブ群の例として、同じＳ値のシェードタブ群を示したが、Ｓ値の共通するシェードタブ群はこれに限られない。例えば、同じＳ値の範囲のシェードタブ群を、Ｓ値の共通するシェードタブ群として、１つのＳグループにまとめて配置してもよい。例えば、Ｓａグループのシェードタブ群はＳ値が−１．５〜０．５（Ｓ１−Ｓ５間）の範囲、Ｓｂグループのシェードタブ群はＳ値が１〜２（Ｓ５−Ｓ８間）の範囲、Ｓｃグループのシェードタブ群はＳ値が２．５〜３（Ｓ８−Ｓ１０間）の範囲、・・・となるように配置してもよい。【００５２】
なお、図４に示す直線Ｓ１〜Ｓ１８の傾きと切片は下記表２の通りである。下記表２に示す値は、松風株式会社製の歯科用色彩計「シェードアイ」（登録商標）（以下、「シェードアイ」と称する）を用いて測定されるＬ*、ａ*、ｂ*に基づいて計算された値である。なお、直線Ｓ１〜Ｓ１８は一例であり、Ｓグループの基準となる直線は、直線Ｓ１〜Ｓ１８に限られない。【００５３】
【表２】
2009008044.tif 000004
【００５４】
図４に示すＬ*−Ｃ*平面図において、直線Ｖ１〜Ｖ７によって区切られる領域のうち、シェードタブの色の座標が、どの領域に属するかによって、その色のＶ値が決定される。直線Ｖ１〜Ｖ７で区切られる領域とＶ値の関係の例を下記表３に示す。直線Ｖ１〜Ｖ７の傾きおよび切片も、例えば、直線Ｓ１〜Ｓ１８と同様に、多数の天然歯または既存のシェードガイドの熟練者による観察結果および測色結果を基に経験的に求めることができる。【００５５】
図４に示すように、Ｖ値を決定するための直線Ｖ１〜Ｖ７は、負の傾きを持つことが好ましい。これは、人間が、同じＳ値（濃さが同じくらい）の色が複数ある場合に、それらの色で明るさの違いを見分ける場合に、明度Ｌ*のみではなく、明度Ｌ*と彩度Ｃ*の複合により見分ける傾向があるからである。すなわち、図４において、人間が暗いと感じる色は左下方向に、人間が明るいと感じる色は右上方向にプロットされる傾向がある。この傾向は、例えば上記のような多数の天然歯の観察結果と測色結果を用いて、直線Ｖ１〜Ｖ７の傾きとして求めることができる。【００５６】
また、直線Ｖ１〜Ｖ７の傾きは必ずしも同じである必要はない。図１に示すシェードガイドの各ＳグループＳａ〜Ｓｆにおいては、Ｖ値が共通する３つのシェードタブを横方向に並べた列を１つのＶ列として、３列のＶ列が縦方向に配置されている。【００５７】
【表３】
2009008044.tif 000005
【００５８】
上記表３に示す例では、直線Ｖ３とＶ４との間の領域に属する色のＶ値が標準のＶ値“０”である。そして、Ｌ*−Ｃ*平面図上で、標準のＶ値の領域から右上方向に離れるにしたがって、Ｖ値が大きくなり、左下方向に離れるにしたがって、Ｖ値が小さくなる。Ｖ値が大きい領域に属する色は明るく見え、Ｖ値が小さい領域に属する色は暗く見える傾向にある。このように、直線Ｖ１とＶ７とで挟まれる領域の中で、中央部に位置する領域を標準のＶ値（ここでは 一例として“０”）の領域とすることができる。すなわち、標準のＶ値の領域の両側には、常に、それより明るく見える色の領域と、それより暗く見える色の領域とが存在することになる。【００５９】
例えば、図１に示すＳａグループの最上段の列（Ｖａ列）は、Ｓ値が−１（Ｓ２−Ｓ３間）、かつＶ値が標準値“０”（Ｖ３−Ｖ４間）の色のシェードタブａａＹ、ａａＳ、ａａＲが並んで配置されたものである。すなわち、ＳａグループのＶａ列のシェードタブａａＹ、ａａＳ、ａａＲの色は、図４に示すＬ*−Ｃ*平面図の直線Ｓ２、Ｓ３、Ｖ３、Ｖ４に囲まれた領域に属している。Ｓａグループの２段目の列（Ｖｂ列）は、Ｓ値が−１、かつＶ値が２の色（直線Ｓ２、Ｓ３、Ｖ１、Ｖ２に囲まれた領域に属する色）のシェードタブａｂＹ、ａｂＳ、ａｂＲが並んで配置されたものである。Ｓａグループの３段目の列（Ｖｃ列）は、Ｓ値が−１、かつＶ値が−２の色（直線Ｓ２、Ｓ３、Ｖ５、Ｖ６に囲まれた領域に属する色）のシェードタブａｃＹ、ａｃＳ、ａｃＲが並んで配置されたものである。他のＳグループＳｂ〜ＳｆにおけるＶａ列、Ｖｂ列、Ｖｃ列も、それぞれＶ値＝０、２、−２の色のシェードタブが並んだ列である。すなわち、図１に示すシェードガイドにおいて、Ｖａ列は、標準のＶ値のシェードタブの列である。Ｖｂ列は、標準より大きいＶ値のシェードタブ（標準より明るく見えるシェードタブ）の列であり、Ｖｃ列は、標準より小さいＶ値のシェードタブ（標準より暗く見えるシェードタブ）の列である。【００６０】
このように、各Ｖ列では、Ｖ値の共通するシェードタブの横方向に並んで配置される。なお、ここでは、Ｖ値の共通するシェードタブ列の例として、同じＶ値のシェードタブ列を示したが、Ｖ値の共通するシェードタブ列はこれに限られない。例えば、同じＶ値の範囲のシェードタブ群を、Ｖ値の共通するシェードタブ群として、１つのＶ列に配置してもよい。また、例えば、Ｖ列間でＶ値の範囲が重なってもよい。また、Ｖ値とＶ列の配列の関係も上記例に限られない。例えば、Ｖａ列、Ｖｂ列、Ｖｃ列のシェードタブのＶ値がそれぞれＶ＝０、２、−２となるように配置されてもよいし、Ｖ＝−２、０、２となるように配置されてもよい。【００６１】
なお、図４に示す直線Ｖ１〜Ｖ７の傾きと切片は下記表４の通りである。下記表４に示す値は、「シェードアイ」を用いて測定されるＬ*、ａ*、ｂ*に基づいて計算された値である。なお、直線Ｖ１〜Ｖ７は一例であり、Ｖ列の配列の基準となる直線は、直線Ｖ１〜Ｖ７に限られない。【００６２】
【表４】
2009008044.tif 000006
【００６３】
次に、各Ｖ列におけるシェードタブの並び方と、色との関係を説明する。図５は、シェードタブの色のＨ値を決めるための領域の例を示すａ*−ｂ*平面図である。図５に示すａ*−ｂ*平面図における直線Ｈ１〜Ｈ８によって区切られる領域のうち、シェードタブの色の座標が、どの領域に属するかによって、その色のＨ値が決定される。直線Ｈ１〜Ｈ８は、基準点（ＯＲＡ、ＯＲＢ）を通り、互いに傾きが異なる直線群である。また、直線Ｈ１〜Ｈ８の傾きは、例えば、多数の天然歯または既存のシェードガイドの観察結果を基に、経験的に求めることができる。一例として、まず、熟練の観察者が、多数の天然歯のサンプルについて、目視によって、色合いを９段階の評価値で評価する。天然歯のサンプルそれぞれについてａ*の値とｂ*の値を測定し、それぞれの天然歯の色をａ*−ｂ*平面上にプロットする。これによって、ａ*−ｂ*平面において、各評価値の歯がどのような領域に分布するかが分かる。そこで、ａ*−ｂ*平面において、９段階の各評価値がそれぞれ分布する９つの領域のおおよその境界を表わす８本の直線を求めることができる。この８本の直線を、上記の直線Ｈ１〜Ｈ８とすることができる。なお、図５に示す例では、直線Ｈ１〜Ｈ８は、いずれも基準点（ＯＲＡ、ＯＲＢ）を通っているが、必ずしもすべての直線が基準点を通る必要はない。【００６４】
直線Ｈ１〜Ｈ８で区切られる領域とＨ値の関係の例を下記表５に示す。図１に示すシェードガイドの各ＳグループＳａ〜Ｓｆにおける各Ｖ列内では、Ｈ値に応じてシェードタブが配置される。すなわち、各Ｖ列においては、Ｓ値およびＶ値の共通する３つシェードタブが、Ｈ値に応じた順番で配置される。【００６５】
【表５】
2009008044.tif 000007
【００６６】
上記表５に示す例では、直線Ｈ４と直線Ｈ５間の領域に属する色のＨ値が標準のＨ値“ＳＴＤ”となる。ａ*−ｂ*平面において、標準のＨ値“ＳＴＤ”の領域より左に行くに従って、黄みが強いＨ値の領域となり、右に行くに従って、赤みが強いＨ値の領域となる。すなわち、“Ｙ１”、“Ｙ２”、“Ｙ３”の順で、Ｈ値が表す黄みが強くなり、“Ｒ１”、“Ｒ２”、“Ｒ３”の順でＨ値が表す赤みが強くなる。このように、直線Ｈ１とＨ８とで挟まれる領域の中で、中央部に位置する領域を標準のＨ値（ここでは 一例として“ＳＴＤ”）の領域とすることができる。すなわち、標準のＨ値の領域の両側には、常に、それより赤みがかって見える色の領域と、それより黄みがかって見える色の領域とが存在することになる。【００６７】
例えば、図１に示すシェードガイドのＳａグループのＶａ列において、シェードタブａａＹのＨ値は“Ｙ３”、シェードタブａａＳのＨ値は“ＳＴＤ”、シェードタブａａＲのＨ値は“Ｒ３”とすることができる。ＳａグループのＶｂ列のシェードタブａｂＹ、ａｂＳ、ａｂＲのＨ値も、Ｖａ列と同様に、左から順にそれぞれ“Ｙ３”、“ＳＴＤ”、“Ｒ３”とすることができる。そして、ＳａグループのＶｃ列のシェードタブａｃＹ、ａｃＳ、ａｃＲのＨ値も同様に、それぞれ“Ｙ３”、“ＳＴＤ”、“Ｒ３”とすることができる。この場合、Ｓａグループでは、縦方向の同一線上に並んで配置されたシェードタブａａＹ、ａｂＹ、ａｃＹのＨ値はいずれも“Ｙ３”となり、シェードタブａａＳ、ａｂＳ、ａｃＳのＨ値はいずれも“ＳＴＤ”となり、シェードタブａａＲ、ａｂＲ、ａｂＲのＨ値はいずれも“Ｒ３”となる。すなわち、Ｈ値の共通するシェードタブが縦方向の同一線上に並んで配置される。【００６８】
他のＳグループＳｂ〜ＳｆにおけるＶａ列、Ｖｂ列、Ｖｃ列それぞれにおけるシェードタブのＨ値も、Ｓａと同様に配列することができる。すなわち、各Ｓグループの各Ｖ列において、標準のＨ値のシェードタブを真中にして、右に標準より赤みが強いＨ値のシェードタブ、左に標準より黄みが強いＨ値のシェードタブが配置される。上記の各Ｖ列におけるシェードタブのＨ値は一例であり、これに限られない。また、Ｈ値とＶ列内のシェードタブの配列との関係も上記例に限られない。例えば、各Ｖ列に含まれる３つのシェードタブのＨ値が、左から順に “Ｒ３”、“ＳＴＤ”、“Ｙ３”となるように配置されてもよい。【００６９】
なお、図５に示す直線Ｈ１〜Ｈ８の傾きと切片は下記表６の通りである。また、図５に示す基準点（ＯＲＡ、ＯＲＢ）の座標は、下記表７の通りである。下記表６、表７に示す値は、「シェードアイ」を用いて測定されるＬ*、ａ*、ｂ*に基づいて計算された値である。なお、直線Ｈ１〜Ｈ８は一例であり、Ｖ列中のシェードタブ配列の基準となる直線は、直線Ｈ１〜Ｈ８に限られない。【００７０】
【表６】
2009008044.tif 000008
【００７１】
【表７】
2009008044.tif 000009
【００７２】
上述のような各シェードタブの色に基づいた配置により、Ｓグループごとに、Ｓ値が共通するシェードタブ群がまとめて配置される。そのため、観察者が認識できる「濃さ」が同じシェードタブ群がＳグループごとにまとまって配置される。各Ｓグループにおいては、Ｖ値が共通するシェードタブが横方向に並んだＶ列が縦方向に３段配置される。３段のＶ列のうち、最上段は標準のＶ値のシェードタブ、２段目は標準のＶ値より大きなＶ値、３段目は標準のＶ値小さなＶ値のシェードタブ列である。そのため、最上段（Ｖａ列）に標準の明るさの色のシェードタブ列、２段目（Ｖｂ列）に標準より明るく見える色のシェードタブ列、３段目（Ｖｃ列）に標準より暗く見える色のシェードタブ列が配置される。また、各Ｖ列においては、標準のＨ値のシェードタブを真中にして、右に標準より赤みが強いＨ値のシェードタブ、左に標準より黄みが強いＨ値のシェードタブが配置される。そのため、各Ｖ列では、真中に標準の色合いのシェードタブ、右に赤みがかったシェードタブ、左に黄みがかったシェードタブが配置されることになる。【００７３】
次に、図１に示すシェードガイド１００を用いて評価対象歯の色を判別する方法の例を、図６を参照しながら説明する。まず、観察者は、ＳグループＳａ〜Ｓｆのうち、いずれか１つのＳグループのＶ列ユニットをベース１０から取り出して、図６（ａ）に示すように、評価対象歯Ｘに隣接させる。観察者は、取り出したＳグループに配置されたシェードタブの色の濃さと、評価対象歯Ｘの色の濃さとを目視により比較する。観察者は、この操作を各Ｓａ〜Ｓｆについて行い、評価対象歯Ｘの色の濃さと最も近い色のＳグループを選択する。この操作は、Ｓ値が共通するシェードタブ群、すなわち、同じ濃さのシェードタブ群がＳグループごとにまとめて配置されているために可能となる。そして、人間の目視の感度は、このＳ値を見分ける感度が最も優れていると考えられるので、観察者は、容易にＳグループを選択することができる。【００７４】
なお、シェードタブと評価対象歯Ｘとの目視による比較は、常に同じ条件下において行うことが好ましい。例えば、比較時における照明、採光の方法、観察者の視角、位置等の条件を予め決めておき、観察者は、常にその条件下でシェードタブと評価対象歯Ｘとを比較するようにしてもよい。これにより、条件の変化による評価結果のばらつきを抑えることができる。【００７５】
また、観察者は、評価対象歯およびシェードタブを直接目視して比較することが好ましいが、例えば、写真または画像等に移った評価対象歯およびシェードタブを見て両者の色を比較してもよい。【００７６】
また、観察者は、図６（ａ）に示すように、Ｓグループごとにベース１０から取り出して比較する代わりに、シェードガイド１００を評価対象歯Ｘに近づけて、評価対象歯に対して横方向にスライドさせることで、ＳグループＳａ〜Ｓｆを順次、評価対象歯Ｘに近づけて比較してもよい。【００７７】
Ｓグループを選択すると、次に、観察者は、選択したＳグループの最上段のＶ列ユニットを取り出して、図６（ｂ）に示すように、評価対象歯Ｘに接近させる。図６（ｂ）は、一例として、Ｓａグループの最上段（Ｖａ列）のＶ列ユニット（シェードタブａａＹ、ａａＳ、ａａＲを含む）を比較する場合を示している。観察者は、取り出したＶ列ユニットに配置されたシェードタブａａＹ、ａａＳ、ａａＲのそれぞれの色合いと、評価対象歯Ｘの色合いとを目視により比較し、評価対象歯Ｘに最も近い色合いのシェードタブを選択する。各Ｖ列においては、上述のとおり、真中に標準の色合いのシェードタブ（図６（ｂ）に示す例ではａａＳ）、右に黄みがかったシェードタブ（ａａＹ）、左に赤みがかったシェードタブ（ａａＲ）が配置されている。そのため、観察者は、Ｖ列ユニットを評価対象歯Ｘに近づけて見るだけで、評価対象歯Ｘの色合いが、標準より赤みがかっているか、黄みがかっているか、それとも標準程度かをすばやく判別することができる。ここでは、一例として、評価対象歯Ｘに最も近い色合いのシェードタブとして、黄みがかった色合いのシェードタブａａＹを選択した場合について、以下説明する。【００７８】
観察者は、シェードタブａａＹを選択すると、次に、Ｓａグループの一段下のＶ列ユニット、すなわち、Ｖｂ列のＶ列ユニットを取り出して、図６（ｃ）に示すように、評価対象歯Ｘに接近させて、黄みがかった色合いのシェードタブａｂＹと比較する。次に、観察者は、さらに一段下のＶ列ユニット、すなわち、Ｖｃ列のＶ列ユニットを取り出して、評価対象歯Ｘに接近させて、シェードタブａｃＹと比較する。上述のように、各Ｓグループにおける３段のＶ列（Ｖａ列、Ｖｂ、Ｖｃ列）は、標準の明るさの色、標準より明るい色、標準より暗い色の順で上から配置されているので、観察者は、上段から下段へ順に取り出して比較することにより、標準のシェードタブ、明るい色のシェードタブ、暗い色のシェードタブの順に比較することができる。この操作により、観察者は、評価対象歯Ｘに最も明るさが近いシェードタブを選択する。【００７９】
なお、観察者は、上記のように、Ｖ列ユニットを上から順に取り出して比較する代わりに、選択した色合いのシェードタブａａＹ、ａｂＹ、ａｃＹ３つを各Ｖ列から取り出して１つのユニットに挿入し、そのユニットを評価対象歯Ｘに接近させて比較してもよい。これにより、選択した色合いのシェードタブａａＹ、ａｂＹ、ａｃＹのうち、明るさが評価対象歯Ｘに最も近いシェードタブを選択することができる。なお、上述のように、各Ｓグループにおいて、Ｈ値の共通する（色合いが同じ）シェードタブが縦方向の同一線上に配置されているので、観察者は、選択した色合いのシェードタブと同じ色合いのシェードタブの配置場所を簡単に把握することができる。【００８０】
以上の操作により、評価対象歯Ｘに最も近い色のシェードタブが選択される。すなわち、評価対象歯Ｘの色に近いシェードタブが判別される。この方法によれば、観察者は、濃さ、色合い、明るさの順に評価対象歯に近い色のシェードタブを絞り込んで行くことができる。そのため、人間の目視感覚にあった自然な感覚で、効率的に、評価対象歯に近い色のシェードタブを判別することができる。【００８１】
次に、上記判別方法で、判別されたシェードタブの色に基づいて、人工歯を作製する工程を説明する。ここでは、一例として、シェードタブの色と同じ色のメタルセラミッククラウン（以下、ＭＣクラウンと称する）の作製工程を説明する。ＭＣクラウンは、メタルで形成された中心部に対して、互いに色が異なる複数のセラミック（ポーセレン）層を積層することにより作製される。図７は、ＭＣクラウンの断面図である。図７に示すＭＣクラウンは、メタル５１に、不透明なオペークポーセレン層５２、オペークデンティン層５３（またはサービカル層）、デンティン層５４、エナメル層５５が積層されて形成されている。【００８２】
図７に示すＭＣクラウンの作製工程では、作製者が、オペークポーセレン層５２、オペークデンティン層５３、デンティン層５４、エナメル層５５の各層に使用する材料をそれぞれ選択し、手作業で上記各層を形成する。作製者は、各層の材料を選択する際に、シェードタブの色を再現するために適当な色の材料を選択する必要がある。例えば、各シェードタブの色を特定するための番号と、その色を人工歯において再現するための材料を示す情報とを対応付けて記録されたデータ（以下、レシピと称する）を予め用意しておくことで、作製者は、レシピを参照することにより、選択されたシェードタブの色を再現するための材料を知ることができる。レシピには、例えば、各層の材料として用いる各種ポーセレン材料とその混合比が記録されている。【００８３】
このように、作製者は、上記判別方法で判別されたシェードタブの色を再現するためのポーセレン材料を、レシピを参照しながら選択し、選択したポーセレン材料を用いて、オペークポーセレン層５２、オペークデンティン層５３、デンティン層５４、エナメル層５５を形成する。これにより、シェードタブの色を容易に再現することができる。【００８４】
各層のポーセレン材料は、歯科用陶材の一例であり、ガラスを素地として、着色顔料、蛍光材および不透明材のうち少なくとも１つが顔料として添加されたものである。そのため、人工歯を形成する各層のポーセレン材料に含まれる着色顔料、蛍光材、不透明材等の顔料の混合比によって人工歯の色が決まる。そこで、作製者は、前記レシピと共に、シェードタブの色を再現するような顔料を含む各層のポーセレン材料を、シェードタブごとに準備しておくことで、シェードガイドで選択されたシェードタブの色を再現する材料を直ちに得ることができる。【００８５】
なお、シェードタブの色を再現する各層のポーセレン材料における顔料の混合比を得るには、例えば、様々なポーセレン材料を用いてＭＣクラウンの試作を繰り返し、試行錯誤することが必要になる。その際、試作されたＭＣクラウンの色が所望の色を再現するものであるか否かの判断は、例えば、作製者が、シェードタブと試作されたＭＣクラウンとを目視して比較することにより行われてもよい。また、作製者は、試作されたＭＣクラウンを上記のシェードアイで測色することにより上記判断をすることもできる。【００８６】
ポーセレン材料の素地となるガラスは、例えば、珪石、アルミナ、炭酸カリウム、炭酸ナトリウム、炭酸リチウム、炭酸カルシウムおよび酸化マグネシウムを調合することにより得られる。このガラスの素地に、例えば、着色顔料、蛍光材および不透明材の少なくともいずれかが混合されたものがポーセレン材料となる。着色顔料として、例えば、酸化コバルト、酸化ニッケル、酸化マンガン等が用いられる。蛍光材としては、例えば、酸化ランタン、酸化イットリウム等が用いられる。不透明材としては、例えば、酸化錫、酸化ジルコニウム等が用いられる。なお、ガラス素地、着色顔料、蛍光材および不透明材の原材料は、上記の例に限られない。【００８７】
作製者は、ポーセレン材料を築盛筆によりメタル５１に築盛し、陶材焼成用真空電気炉を用いて焼成する。これによりポーセレン層が形成される。この作業は、作製者が上記オペークポーセレン層５２、オペークデンティン層５３、デンティン層５４、エナメル層５５の各層をそれぞれ形成する度に繰り返される。【００８８】
なお、図７に示すＭＣクラウンは、一例であり、ＭＣクラウンの構造は図７に示すＭＣクラウンに限られない。また、シェードタブの色に基づいて作製されうる人工歯は、ＭＣクラウンに限られない。オールセラミッククラウン（ＡＣクラウン）や、メタルに樹脂を盛った構造のクラウン、および、セラミックに樹脂を盛った構造のクラウン等も作製対象の人工歯に含まれる。また、クラウン（歯冠）に限らず、インレイ、アンレイ、ブリッジ、インプラント上部構造等も、作製対象の人工歯に含まれる。
【産業上の利用可能性】
【００８９】
本発明は、歯の色判別の信頼性および効率を向上させるシェードガイドとして有用である。
【図１】
2009008044.tif 000010
【図２】
2009008044.tif 000011
【図３】
2009008044.tif 000012
【図４】
2009008044.tif 000013
【図５】
2009008044.tif 000014
【図６】
2009008044.tif 000015
【図７】
2009008044.tif 000016
【国際調査報告】
2009008044.tif 000017
2009008044.tif 000018
2009008044.tif 000019
2009008044.tif 000020